(57)【要約】本発明は、引出しガイド（３）の可動レール（５）へ引出し（２）を着脱式に接続するための連結装置（７）に関し、連結装置（７）は、引出し底部（２ｃ）の下側の領域にアレンジされ、連結装置（７）は、引出しガイド（３）の可動レール（５）に連結装置（７）を着脱式に接続するための少なくとも一つの可動に取り付けられた連結部（８）を含んでいる。連結装置（７）は、アダプタ装置（１１）を含んでおり、それによって引出し底部（２ｃ）に対する連結部（８）の高さ位置を調節することができ、アダプタ装置（１１）は、引出し（２）、好適には引出し底部（２ｃ）から突き出るバー体（１６）に固定される取り付け部（１２）を含んでおり、連結部（８）に接続された調節部（１３）をさらに含んでおり、取り付け部（１２）に対する連結部（８）の高さ位置を調節するため、調節部は、引出し底部（２ｃ）に対してほぼ直角方向に調節式に支持されている。【選択図】図４
2013512007.tif 000002
【特許請求の範囲】
【請求項１】
引出し延出ガイド（３）の可動レール（５）に引出し（２）を着脱式に接続するための連結装置（７）であって、
本連結装置（７）は、引出し底部（２ｃ）の下側の領域にアレンジされ、
本連結装置（７）は、本連結装置（７）を前記引出し延出ガイド（３）の可動レール（５）に着脱式に接続するための少なくとも一つの可動に取り付けられた連結部（８）を有しており、
本連結装置（７）は、前記引出し底部（２ｃ）に対する前記連結部（８）の高さ位置を調節させるアダプタ装置（１１）を有しており、
前記アダプタ装置（１１）は、前記引出し（２）に固定されるが、好適には前記引出し底部（２ｃ）から突き出るバー体（１６）に固定される取り付け部（１２）を有しており、
前記連結部（８）に接続されており、前記引出し底部（２ｃ）に対してほぼ直角に延びる方向で、前記取付け部（１２）に対する前記連結部（８）の高さ位置の調節のために調節可能に取り付けられた調節部（１３）をさらに有することを特徴とする連結装置。
【請求項２】
前記調節部（１３）は、複数の掛け留め位置にて前記取付け部（１２）に対して掛け留め可能であることを特徴とする請求項１記載の連結装置。
【請求項３】
前記調節部（１３）は、前記引出し底部（２ｃ）に面する側の方向で前記取付け部（１２）に対して調節可能であり、前記引出し底部（２ｃ）から離れる方向の前記調節部（１３）と前記取付け部（１２）との間の相対的運動は、阻止されることを特徴とする請求項１または２記載の連結装置。
【請求項４】
前記調節部（１３）は、前記取付け部（１２）の歯状構造部（１４ａ）に沿って移動可能な少なくとも一つの弾性舌状部（１８）を有することを特徴とする請求項１から３のいずれかに記載の連結装置。
【請求項５】
前記連結部（８）は、弾性であり、取り付け位置の前記連結部（８）は、前記引出し延出ガイドの可動レール（５）の凹部または掛け留め縁部に係合することを特徴とする請求項１から４のいずれかに記載の連結装置。
【請求項６】
前記連結装置（８）は、前記引出し延出ガイド（３）の前記可動レール（５）の掛け留め縁部に掛け留め可能な少なくとも一つの、好適には複数の接合面（２０）を有することを特徴とする請求項５記載の連結装置。
【請求項７】
前記接合面（２０）は、前記引出し（２）の延出方向に互いに移動した関係でアレンジされていることを特徴とする請求項６記載の連結装置。
【請求項８】
本連結装置（７）は、前記引出し（２）の前方パネル（２ａ）に対する取り付け位置でスライド式に支持されることができるか、または前記引出し（２）の前記前方パネル（２ａ）と離れた関係で取り付けられていることを特徴とする請求項１から７のいずれかに記載の連結装置。
【請求項９】
請求項１から８のいずれかに記載の連結装置によって引出し延出ガイドの可動レールに着脱式に接続されている引出し延出ガイドおよび引出しを含んだ構造体。
【請求項１０】
請求項９記載の構造体を有する家具。
【発明の詳細な説明】
【技術分野】
【０００１】
本発明は、引出しを引出し延出ガイドの可動レールに着脱式に接続するための連結装置に関し、連結装置は、引出し底部下側の領域にアレンジされ、連結装置は、連結装置を引出し延出ガイドの可動レールに着脱式に接続するための少なくとも一つの可動式に取り付けられた連結部を有する。
【０００２】
本発明は、引出し延出ガイドの可動レールに、下記で解説する種類の連結装置によって着脱式に接続される引出し延出ガイドを有する構造体にも関する。
【背景技術】
【０００３】
連結装置は、引出しが引出し延出ガイドの可動レールに対して全体的に装着および/または取り外しできる従来技術で知られている。この技術により、（例えばクリーニングの目的で）引出しを引出し延出ガイドから完全に解放し、その後に再びそれに固定することが可能である。
【０００４】
取り付け作業では、引出し延出ガイドは、先ず家具の枠体に取り付けられ、続く取り付けステップにおいて固定される引出しが、閉位置にある延出レールに引出しが最終的に自動的に掛け留めされるまで延出ガイド上に押し込まれる。そのような連結装置の例は、出願人の特許文献１と特許文献２にて解説されている。この場合、掛け留めは、そのずれた接触面をレールの凹部内に首尾よく掛け留めさせる弾性掛け留め部によって行なわれ、それによって引出しが押し込まれる際に、引出しと延出ガイドとの間の遊びが徐々に減少して掛け留めが行なわれるが、それには、引出し延出ガイドの可動レールに対する連結装置の正確な位置決めを前提とする。
【０００５】
加えて、引出しを引出し延出ガイドの延出可能なレールに着脱式に接続するための装置が知られており、そこでは、引出しの前方部は、調節機構によって引出しレールに対して上下に移動可能であり、それによって引出しの前方パネルは、隙間の調節のために方向調整できる。このような構造は、例えば特許文献３、特許文献４、特許文献５、特許文献６、特許文献７および特許文献８にて解説されている。
【先行技術文献】
【特許文献】
【０００６】
【特許文献１】欧州特許第０４２１４５８Ｂ１号明細書
【特許文献２】独国実用新案出願公開第２０２００７００６５４９Ｕ１
【特許文献３】オーストリア特許第３９８５１６Ｂ号明細書
【特許文献４】独国実用新案出願公開第２９６００１８０Ｕ１
【特許文献５】独国実用新案第９２０４８４５Ｕ１号明細書
【特許文献６】オーストリア特許第４０４２２０Ｂ号明細書
【特許文献７】独逸特許第２９５０６９３０号明細書
【特許文献８】欧州特許出願公開第１４１９７１７Ａ１号明細書
【発明の概要】
【発明が解決しようとする課題】
【０００７】
本発明の目的は、本明細書の当初で解説した一般的な種類の連結装置を提案することであり、連結装置の高さ位置は、引出し底部に対して、特にバー体が引出し底部から下方に突出しているときに調節または補正される。
【課題を解決するための手段】
【０００８】
本発明によれば、上記目的は、請求項１によって達成される。本発明の別な有利な形態は、従属請求項において記されている。
【０００９】
本発明によれば、連結装置は、引出し底部に対する連結部の高さ位置を調節可能にするアダプタ装置を有しており、アダプタ装置は、引出し、好適には引出し底部から突き出るバー体に固定される取り付け部を有しており、連結部に接続され、引出し底部に対してほぼ直角に延びる方向で取り付け部に対する連結部の高さ位置の調節のために調節可能に取り付けられた調節部をさらに有する。
【００１０】
換言すれば、アダプタ装置は、連結装置の高さ位置を引出しに対して調節し、可動式に取り付けられた連結部の位置も引出し延出ガイドの引出レールに対して適切に固定可能にする。
【００１１】
このようにして、連結装置は、アダプタ装置を介して引出しの側壁に（特に引き出しの取り付け位置で引出し底部から下方に突き出るバー体に）固定され、連結装置の高さ位置は、アダプタ装置によって引出し底部に対して変えることができる。それによって、引出しの側壁に対する前方パネルの位置調節が連結装置によって妨害されないよう、連結装置は、引出しの前方パネルに固定式に接続されていないという利点が提供される。連結装置は、このようにしてアダプタ装置によって引出し側壁の下方に突き出るバー体に固定され、アダプタ装置によってバー体の異なる高さを補正することが可能となる。
【００１２】
アダプタ装置の調節移動は、無段式に、または多様な所定の掛け留め位置によっても実行できる。連結部の高さ位置の無段式調節のため、アダプタ装置は、手による調節または工具を使用した作動のために提供された作動部の回転運動を連結装置の降下または上昇運動に変換する自動ロッキングトランスミッション（伝達）装置を有することができる。この目的のため、アダプタ装置は、例えば自動ロッキングワームトランスミッションを有することで、正確で継続的な調節を可能にする。
【００１３】
一方、所定の掛け留め位置による調整が望ましい場合には、これらは、弾性掛け留め要素によって協調する掛け留め手段、またはバネによって作動する掛け留め要素によって実行できる。一実施態様では、アダプタ装置は、調節部と取り付け部との間で一方向の相対的運動を許容し、この場合、調節部は、様々な位置の取り付け部に対して自動的に掛け留めでき、アダプタ装置は、調節部と取り付け部との間で反対方向への相対的運動をロックする。これは、取り付け部の歯状構造部に沿って移動可能に取り付けられた弾性舌状部を有する調節部によって構造的に単純な形態で実行できる。この場合、歯状構造部は、調節部を歯状部上方で一方向に移動可能とする一方、歯状部は、舌状部の反対方向への移動を阻止することができる。
【００１４】
本発明による構造は、引出し延出ガイドと、解説したような連結装置によって、引出し延出ガイドの可動レールに着脱可能に接続される引出しとを含んでいる。
【００１５】
本発明による家具は、前述のような構造を含んでいる。
【００１６】
本発明の別な詳細と利点は、後述の説明によって解説される。
【図面の簡単な説明】
【００１７】
【図１】図１は連結装置によって引出し延出ガイドの可動レールに着脱式に接続された移動可能な引出しを備えた家具の斜視図である。
【図２】図２は引出し延出ガイドに接続された引出しの斜視図である。
【図３】図３は引出し延出ガイドに接続された引出しを下方から見た図である。
【図４】図４は本発明による連結装置を備えた引出しの一部を示す図である。
【図５】図５は連結装置の分解図である。
【図６ａ】図６ａは異なる高さ位置の連結装置を示すである。
【図６ｂ】図６ｂは異なる高さ位置の連結装置を示すである。
【図７】図７は取り付け状態の連結装置の別な斜視図である。
【図８】図８は高さ調節可能な連結装置の部分を示す図である。
【発明を実施するための形態】
【００１８】
図１は、引出し延出ガイド３によって家具１の枠体１ａに対して移動可能に取り付けられた複数の引出し２を有するキャビネット形態の家具１の斜視図である。引出し延出ガイド３は家具１の枠体１ａに固定される枠体レール４と、枠体４に対して移動可能であり、下記で説明する連結装置によって引出し２に接続される少なくとも一本のレール５を含んでいる。それぞれの引出し２は、枠体１ａの両側の側壁に予め取り付けられているそれぞれの引出し延出ガイド３と関連している。引出し２は工具を使用せずに、全体的に可動レール５に装着および/または取り外し可能である。
【００１９】
図２は引出し延出ガイド３に連結された引出し２の斜視図である。知られた方法で、引出し２は前方パネル２ａ、側壁２ｂ、引出し底部２ｃ、および引出し後方壁２ｄを含んでいる。枠体１ａに不動に取り付けられる枠体レール４と、それに対して可動であるレール５が示されている。延出レール５の後端には、引出し２の取り付け状態では引出し後方壁２ｄに提供されている開口部に配置されている（好適には高さ調節可能な）ピン６を有するアバットメントがアレンジされている。ピン６は、ホイール１５を調節することで高さ調節でき、引出し延出ガイド３のレール５に対する引出し２の傾斜を調節することも（および前方パネルの整合）可能である。引出し２を所定の場所に取り付けるとき、ピン６が引出し後壁２ｄに提供された開口部内に通過し、後端アバットメントを提供するまで、閉位置にあるレール５の上に押し込まれる。引出し２の前方領域は、後述する連結装置によって延出レール５の前端に連結される。
【００２０】
図３は、延出ガイド３に接続された引出し２を下方から見た斜視図である。前方パネル２ａの領域で引出し底部２ｃの下側には、連結装置７がアレンジされており、引出し２は、可動レール５に着脱式に接続され、好適には全体的に着脱式に掛け留めされることができる。連結装置７は、可動式に取り付けられた連結部８を含んでおり、連結部８は、取り付け位置では可動レール５の掛け留め縁部または凹部に係合する。取り付け作業中に引出し２が可動レール５に自動的に掛け留めされるよう、連結部８は弾性を有する。制動作用を解除するため、旋回レバーの形態の手動で作用する解除部９が存在し、それによって可動連結部８は、延出レール５からロック解除されることで、引出し２は、引出し延出ガイド３から完全に取り外される。
【００２１】
図４は、連結装置７の拡大詳細図である。引出し延出ガイド３は、図面を明確にするために示されていない。引出し底部２ｃ下側の連結装置７は、（好適にはスロット形状の）受領手段１０を有しており、受領手段１０は、取り付け位置では可動レール５の前端を受領する。引出し２とレール５との間のロックは、引出し取り付け作業中に可動レール５に自動的に掛け留めされる弾性連結部８によって実行される。ロック解除は、解除部９によって実行され、可動連結部８は、手によって解除部９に圧力を適用することで解除位置に移動可能である。連結装置７は、重要部品としてアダプタ装置１１を有しており、これによって可動に取り付けられた連結部８の位置を引出し底部２ｃに対してほぼ垂直方向に引出し延出ガイド３の可動レール５に対して調節することができ、特にスロット形状の受領手段１０の高さ位置と、可動レール５に対する可動連結部８の位置を固定することが可能である。アダプタ装置１１は、互いに移動可能な２つの部分、すなわち引出し２に固定される静止状態の取り付け部１２と、取り付け部１２に対して調節可能であり、連結装置７の他の要素（解除部９、連結部８、スロット形状受領部１０）に接続されている調節部とを含んでいる。取り付け部１２に対して調節部１３を調節すると、連結装置７のそれら他方の要素も引き連られる。取り付け部１２は、角張った形態であり、好適には引出し底部２ｃから突き出るバー体１６に取り付けられている。アダプタ装置１１の利点は、異なるバー体の高さＨがそれによって補正されることである。詳細に説明すれば、連結装置７は、前方パネル２ａの後側にてスライド式に支持されているだけであるか、または前方パネル２ａと離れた関係で取り付けられている。すなわち、前方パネル２ａには、固定式に接続されていない。このように、前方パネル２ａの高さおよび/または傾斜の調節は、何の問題も無く可能である。
【００２２】
図５は、２部分で成るアダプタ装置１１の分解図である。Ｌ形状の取り付け部１２は、ネジ１７によってバー体１６に固定でき、取り付け位置では、側壁２ｂ（図３）の下方に突き出ている。取り付け部１２は、調節部１３を受領および案内するためのガイド１４を有する。調節部１３には、異なる掛け留め位置にて取り付け部１２の歯状構造部１４ａに沿って自動的に掛け留めできる弾性舌状部１８が提供されている。歯状構造部１４ａに対する弾性舌状部１８の調節は、スロット形状の受領手段１０と可動連結部８の適切な位置への調節を可能にする。
【００２３】
図６ａと図６ｂは、アダプタ装置１１によって固定できる、異なる高さ位置で組立てられている連結装置７の詳細図である。取り付け部１２は、ネジ１７によって引出し２のバー体１６に取り付けられている。調節部１３は、取り付け部１２の歯状構造部１４ａに沿って予め決定された場所にて異なる高さ位置に掛け留めできる弾性舌状部１８を有する。アダプタ装置１１も連結部８の高さ位置を設定するための無段式調節装置を有することは理解されよう。図６ｂは、図６ａに対して移動された舌状部１８の位置を示している。
【００２４】
図７は、取り付け位置にある連結装置７の別な斜視図である。歯状構造部１４ａに対して移動式に取り付けられた舌状部１８が示されている。歯状構造部１４ａは、引出し底部２ｃの側への１８の舌状部１８の移動を許容するが、反対方向では阻止する。一般的には、アダプタ装置１１を調節するとき、舌状部１８が、連結装置７の平坦な接触面１９が引出し底部２ｃの下側に接触するまで移動しているかを注意して確認すべきである。引き続き、引出し２は、引出し延出ガイド３の可動レール上に押し付けられ、この場合、可動レール５は、連結部８を後方に付勢し、引き続きスロット形状の受領手段１０内に通過することができる。可動レール５が受領手段１０内の適切な位置にあるとき、掛け留めは、連結部８によって実行される。連結部８は、引出し２が延出ガイド３から完全に解放されるよう、解除部９に手で圧力を適用することによって解除部まで再び移動できる。
【００２５】
従って、アダプタ装置１１は、連結部８の可動レール５への適切な掛け留めが可能になるよう、可動レール５（すなわち引出し延出ガイドの引出しレール）も引出し底部２ｃの下側に接するため、連結装置７が引出し底部２ｃと隣接状態に移動するよう、バー体１６の異なる高さを補正するために提供されている。
【００２６】
本発明の別な利点は、連結装置７は、引出し２の前方パネル２ａに固定式にネジ留めされていないが、引出し２の横向きバー体１６には、固定されていることで、前方パネル２ａの位置（高さ/横方向/傾斜）は、（通常は設置されている）調節装置によって調節でき、前方パネルにネジ留めされる連結装置７によって妨害されないことである。
【００２７】
ネジ１７（図５）が引出し底部２ｃに対して直角に装着およびネジ留めできるので、横方向のバー体１６への装着も実質的にさらに簡単である。対照的に、連結装置７を前方パネル２ａに取り付けるとき、ネジ１７が前方パネル２ａの後側に対して傾斜的にネジ留めされなければならず、不適切なネジを使用すると、ネジ１７が前方パネル２ａの前側を貫通する危険性があり、これは実際には絶対に回避されなければならない。
【００２８】
図８は、調節部１３と弾性舌状部１８とを備えた連結装置７の一部を示している。可動レール５の垂直肢部を受領するためのスロット形状の受領手段１０も示されている。弾性であるか、またはバネによって作用される連結部８は、引出し２の延出方向に移動する複数の接合面２０を有しており、それらのそれぞれは、取り付け位置では、可動レール５の対応するアバットメントに接する。引出し２は、様々な接合面２０によって可動レール５に実質的に遊びのない関係で接続される。
【００２９】
本発明は、解説した実施例に限定されず、添付の「請求の範囲」内の改変物または技術的均等物にまで及ぶかまたはこれらを含んでいる。上、下、横等の説明において採用した位置関係は、連結装置７を設置する通常の位置に関するか、または直接的に説明した図に関し、これらは、位置の変化に応じて適宜新しい位置に変更されるものである。
【図１】
2013512007.tif 000003
【図２】
2013512007.tif 000004
【図３】
2013512007.tif 000005
【図４】
2013512007.tif 000006
【図５】
2013512007.tif 000007
【図６ａ】
2013512007.tif 000008
【図６ｂ】
2013512007.tif 000009
【図７】
2013512007.tif 000010
【図８】
2013512007.tif 000011
【国際調査報告】
2013512007.tif 000012
2013512007.tif 000013
2013512007.tif 000014
2013512007.tif 000015